(57)【特許請求の範囲】
【請求項１】
投影面に画像を投影する投影手段と、
外部機器との接続状態を検出する接続状態検出手段と、
前記投影手段による投影状態を検出する投影状態検出手段と、
前記接続状態検出手段によって前記外部機器との接続開始が検出されたときに、前記投影状態検出手段によって前記投影手段が画像を投影中であることが検出された場合には、前記外部機器から前記投影手段の操作を受け付ける第１の操作モードに設定する操作モード設定手段とを備えることを特徴とするカメラ。
【請求項２】
請求項１に記載のカメラにおいて、
前記操作モード設定手段は、前記接続状態検出手段によって前記外部機器との接続開始が検出されたときに、前記投影状態検出手段によって前記投影手段が画像を投影していないことが検出された場合には、前記カメラの操作モードを前記第１の操作モードに設定するか否かを使用者に問い合わせ、使用者によって前記第１のモードに設定するように指示された場合には、前記カメラの操作モードを前記第１のモードに設定し、使用者によって前記第１のモードに設定しないように指示された場合には、前記カメラの操作モードを前記外部機器との間でデータ転送を行う第２のモードに設定することを特徴とするカメラ。
【請求項３】
請求項１または２に記載のカメラにおいて、
前記カメラの操作モードが前記第１のモードに設定されている間は、前記投影手段を前記外部機器から送信される指示信号に基づいて動作させる制御手段をさらに備えることを特徴とするカメラ。
【請求項４】
請求項１〜３のいずれか一項に記載のカメラにおいて、
前記カメラの操作モードが前記第１のモードに設定されている間は、カメラが備える操作部材による操作を禁止する操作禁止手段をさらに備えることを特徴とするカメラ。
【請求項５】
請求項１〜４のいずれか一項に記載のカメラにおいて、
前記カメラの操作モードが前記第１のモードに設定されている間は、カメラが備える表示装置への情報の表示を停止する表示停止手段をさらに備えることを特徴とするカメラ。
【請求項６】
請求項１〜５のいずれか一項に記載のカメラと接続されたコンピューターで実行される投影制御プログラムであって、
使用者による前記投影手段の操作を受け付けるための操作画面を表示する表示制御手順と、
前記操作画面上での使用者による操作に応じた指示信号を、前記カメラに対して送信する指示信号送信手順とを含むことを特徴とする投影制御プログラム。
【請求項７】
請求項６に記載の投影制御プログラムにおいて、
前記指示信号は、前記投影手段による投影の開始または終了を指示するための信号、投影中の画像の切り替えを指示するための指示信号、投影中の画像のスクロールを指示するための指示信号、投影中の画像の拡大または縮小を指示するための指示信号、および投影輝度の変更を指示するための指示信号のいずれかであることを特徴とする投影制御プログラム。
【請求項８】
請求項１〜５のいずれか一項に記載のカメラと、前記カメラと接続された外部機器と、前記外部機器と接続されたプロジェクタ装置とで構成される投影システムであって、
前記外部機器は、使用者による指示に基づいて、前記カメラが備える投影手段の投影輝度と、前記プロジェクタ装置の投影輝度のいずれを高くするかを決定する投影輝度制御手段を備えることを特徴とする投影システム。
【発明の詳細な説明】
【技術分野】
【０００１】
本発明は、カメラ、投影制御プログラム、および投影システムに関する。
【背景技術】
【０００２】
次のようなカメラが知られている。このカメラは、被写体像を投影面に投影するためのプロジェクタを備えている（例えば、特許文献１）。
【０００３】
【特許文献１】特開２００５−２５０３９２号公報
【発明の開示】
【発明が解決しようとする課題】
【０００４】
しかしながら、従来のカメラは、プロジェクタ機能に関する操作をカメラ上で行う必要があり、パソコンとカメラとを接続した状態で、パソコン側からカメラのプロジェクタ機能に関する操作を行うことができなかった。
【課題を解決するための手段】
【０００５】
本発明によるカメラは、投影面に画像を投影し、外部機器との接続状態を検出し、投影手段による投影状態を検出し、外部機器との接続開始が検出されたときに、投影手段が画像を投影中であることが検出された場合には、カメラの操作モードを、外部機器から投影手段の操作を受け付ける第１の操作モードに設定することを特徴とする。
本発明によるカメラでは、外部機器との接続開始が検出されたときに、投影手段が画像を投影していないことが検出された場合には、カメラの操作モードを第１の操作モードに設定するか否かを使用者に問い合わせ、使用者によって第１のモードに設定するように指示された場合には、カメラの操作モードを第１のモードに設定し、使用者によって第１のモードに設定しないように指示された場合には、カメラの操作モードを外部機器との間でデータ転送を行う第２のモードに設定するようにしてもよい。
カメラの操作モードが第１のモードに設定された場合には、投影手段を外部機器から送信される指示信号に基づいて動作させるようにしてもよい。
カメラの操作モードが第１のモードに設定されている間は、カメラが備える操作部材による操作を禁止するようにしてもよい。
カメラの操作モードが第１のモードに設定されている間は、カメラが備える表示装置への情報の表示を停止するようにしてもよい。
本発明による投影制御プログラムは、上記いずれかのカメラと接続されたコンピューターで実行され、使用者による投影手段の操作を受け付けるための操作画面を表示し、操作画面上での使用者による操作に応じた指示信号を、カメラに対して送信することを特徴とする。
本発明による投影制御プログラムでは、指示信号は、投影手段による投影の開始または終了を指示するための信号、投影中の画像の切り替えを指示するための指示信号、投影中の画像のスクロールを指示するための指示信号、投影中の画像の拡大または縮小を指示するための指示信号、および投影輝度の変更を指示するための指示信号のいずれかであることが好ましい。
本発明による投影システムは、上記いずれかのカメラと、カメラと接続された外部機器と、外部機器と接続されたプロジェクタ装置とで構成され、外部機器は、使用者による指示に基づいて、カメラが備える投影手段の投影輝度と、プロジェクタ装置の投影輝度のいずれを高くするかを決定することを特徴とする。
【発明の効果】
【０００６】
本発明によれば、外部機器側からカメラの投影機能に関する操作することができる。
【発明を実施するための最良の形態】
【０００７】
図１は、本実施の形態における投影システムの一実施の形態の構成を示すブロック図である。投影システム１０は、カメラ１００と、パーソナルコンピュータ（ＰＣ）２００と、プロジェクタ装置３００とで構成されている。カメラ１００とＰＣ２００との間、およびＰＣ２００とプロジェクタ装置３００との間は、有線接続、例えばＵＳＢ接続や、無線接続、例えば無線ＬＡＮ接続により接続されている。
【０００８】
カメラ１００は、入力スイッチ１０１と、レンズ１０２と、撮像素子１０３と、制御装置１０４と、メモリカードスロット１０５と、モニタ１０６と、プロジェクタユニット１０７と、接続ＩＦ（インターフェース）１０８とを備えている。
【０００９】
入力スイッチ１０１は、使用者によって操作される種々の入力部材を含んでいる。例えば、この入力スイッチ１０１には、レリーズボタンやカメラ１００を操作するための種々の操作ボタンが含まれる。
【００１０】
レンズ１０２は、複数の光学レンズ群から構成されるが、図１では代表して１枚のレンズで表している。撮像素子１０３は、例えばＣＣＤやＣＭＯＳであり、レンズ１０２を通して入力される被写体像を撮像して、撮像して得た画像データを制御装置１０４へ出力する。
【００１１】
制御装置１０４は、ＣＰＵ、メモリ、およびその他の周辺回路により構成され、カメラ１００の全体を制御する。なお、制御装置１０４を構成するメモリには、ＳＤＲＡＭやフラッシュメモリが含まれる。ＳＤＲＡＭは、揮発性のメモリであって、ＣＰＵがプログラム実行時にプログラムを展開するためのワークメモリとして使用されたり、データを一時的に記録するためのバッファメモリとして使用される。また、フラッシュメモリは、不揮発性のメモリであって、制御装置１０４が実行するプログラムのデータや、プログラム実行時に読み込まれる種々のパラメータなどが記録されている。
【００１２】
メモリカードスロット１０５は、記憶媒体としてのメモリカードを挿入するためのスロットであり、制御装置１０４から出力された画像ファイルをメモリカードに書き込んで記録する。また、制御装置１０４からの指示に基づいて、メモリカード内に記憶されている画像ファイルを読み込む。
【００１３】
モニタ１０６は、カメラ１００の背面に搭載された液晶モニタ（背面モニタ）であり、当該モニタ１０６には、メモリカードに記憶されている画像やカメラ１００を設定するための設定メニューなどが表示される。
【００１４】
プロジェクタユニット１０７は、投影面に画像を投影するためのユニットである。プロジェクタユニット１０７としては、例えば、ＬＣＯＳ（Ｌｉｑｕｉｄ ｃｒｙｓｔａｌ ｏｎ ｓｉｌｉｃｏｎ）方式のプロジェクタユニットや、レーザー走査投射方式のプロジェクタユニットが用いられる。
【００１５】
接続ＩＦ１０８は、カメラ１００とＰＣ２００とを接続するためのインターフェースである。接続ＩＦ１０８としては、例えば、上述したようにＰＣ２００と有線接続するためのＵＳＢインターフェースや、ＰＣ２００と無線接続するための無線ＬＡＮインターフェースが用いられる。なお、本実施の形態では、接続ＩＦ１０８は、ＵＳＢインターフェースと無線ＬＡＮインターフェースの両方を含んでおり、使用者は、カメラ１００とＰＣ２００との間を、有線または無線のいずれかの接続方法で接続することができる。
【００１６】
ＰＣ２００は、入力装置２０１と、制御装置２０２と、カメラ接続ＩＦ２０３と、ＨＤＤ（ハードディスクドライブ）２０４と、モニタ２０５と、プロジェクタ接続ＩＦ２０６とを備えている。入力装置２０１は、使用者によって操作される操作部材であって、例えば、キーボードやマウスが含まれる。
【００１７】
制御装置２０２は、ＣＰＵ、メモリ、およびその他の周辺回路により構成され、ＰＣ２００の全体を制御する。なお、制御装置２０２を構成するメモリには、カメラ１００の制御装置１０４と同様に、ＳＤＲＡＭやフラッシュメモリが含まれる。
【００１８】
カメラ接続ＩＦ２０３は、カメラ１００とＰＣ２００とを接続するためのインターフェースである。カメラ接続ＩＦ２０３としては、例えば、上述したようにカメラ１００と有線接続するためのＵＳＢインターフェースや、カメラ１００と無線接続するための無線ＬＡＮインターフェースが用いられる。制御装置２０２は、このカメラ接続ＩＦ２０３を介して、カメラ１００から画像データを取り込んだり、後述するようにカメラ１００を操作するための信号をカメラ１００へ送信したりする。
【００１９】
ＨＤＤ２０４は、カメラ接続ＩＦ２０３を介して取り込まれた画像データや、制御装置２０２で実行される種々のプログラム等を記録するための記録装置である。モニタ２０５は、例えば液晶モニタであって、制御装置２０２から出力される表示用データを表示する。
【００２０】
プロジェクタ接続ＩＦ２０６は、ＰＣ２００とプロジェクタ装置３００とを接続するためのインターフェースである。プロジェクタ接続ＩＦ２０６としては、例えば、上述したようにプロジェクタ装置３００と有線接続するためのＵＳＢインターフェースや、プロジェクタ装置３００と無線接続するための無線ＬＡＮインターフェースが用いられる。制御装置２０２は、このプロジェクタ接続ＩＦ２０６を介して、プロジェクタ装置３００を用いて投影する画像データをプロジェクタ装置３００へ送信する。
【００２１】
本実施の形態では、使用者は、カメラ１００とＰＣ２００とを接続して、ＰＣ２００からカメラ１００による画像データの投影を操作する。カメラ１００の制御装置１０４は、接続ＩＦ１０８を介してＰＣ２００と接続されたことを検出した場合には、接続ＩＦ１０８の接続状況を検出して、ＰＣ２００との接続方法が有線接続であるか無線接続であるかを判定する。また、制御装置１０４は、プロジェクタユニット１０７による投影状態、すなわち画像を投影中であるか投影中でないかを判定する。
【００２２】
制御装置１０４は、まず、ＰＣ２００との接続方法の判定結果、およびプロジェクタユニット１０７による投影状況の判定結果に基づいて、ＰＣ２００との接続時におけるカメラ１００の操作モードを決定する。例えば、本実施の形態では、カメラ１００は、ＰＣ２００との接続時の操作モードとして、ＰＣ２００に画像データを転送するための転送モードと、ＰＣ２００からプロジェクタ機能のリモート操作を受け付けるＰＣ連携モードとを備えている。
【００２３】
制御装置１０４は、プロジェクタユニット１０７による投影状況が投影中である場合に、ＰＣ２００とＵＳＢ接続（有線接続）されたことを検出した場合には、カメラ１００の操作モードを自動的にＰＣ連携モードに切り替えて、ＰＣ２００からプロジェクタ機能のリモート操作を受け付ける。また、制御装置１０４は、プロジェクタユニット１０７による投影状況が投影中でない場合に、ＰＣ２００とＵＳＢ接続（有線接続）されたことを検出した場合には、モニタ１０６に、使用者に対して操作モードをＰＣ連携モードに切り替えるか否かの確認画面を表示する。
【００２４】
例えば、制御装置１０４は、モニタ１０６上に「ＰＣ連携モードに切り替えますか？」の確認メッセージと共に、「はい」と「いいえ」の選択項目を表示する。そして、使用者によって入力スイッチ１０１が操作されて「はい」が選択された場合には、制御装置１０４は、カメラ１００の操作モードを自動的にＰＣ連携モードに切り替える。一方、使用者によって「いいえ」が選択された場合には、制御装置１０４は、カメラ１００の操作モードを転送モード、例えばＰＴＰモードやＭＡＳＳストレージモードに切り替える。
【００２５】
なお、カメラ１００とＰＣ２００とを接続したときにモニタ１０６に表示されるメニュー項目が複数ある場合であっても、プロジェクタユニット１０７による投影状況が投影中であるときにカメラ１００とＰＣ２００とが接続された場合には、制御装置１０４は、他のメニューは表示せずに、「ＰＣ連携モードに切り替えますか？」の確認メッセージと「はい」と「いいえ」の選択項目のみを表示するようにしてもよい。
【００２６】
また、使用者は、カメラ１００のメニュー画面上からＰＣ連携モードへの切り替えを指示することができ、制御装置１０４は、使用者によってＰＣ連携モードへの切り替えが指示されると、カメラ１００のモードをＰＣ連携モードに切り替えると共に、カメラ１００とＰＣ２００とを自動的に無線接続する。制御装置１０４は、ＰＣ２００との間でどの操作モードで接続を開始したかを示す情報を、ＰＣ２００へ送信する。
【００２７】
なお、カメラ１００のモードをＰＣ連携モードに切り替えたときには、以後、カメラ１００は、ＰＣ２００からリモートで操作されることになる。よって、カメラ１００のモードがＰＣ連携モードに設定されている間は、モニタ１０６の表示を継続する必要がないため、制御装置１０４は、液晶モニタの電源をオフしたり、液晶モニタのバックライトを消去することによってモニタ１０６の表示を消去する。これによって、カメラ１００のバッテリーの消費を抑えることができる。
【００２８】
また、カメラ１００のモードをＰＣ連携モードに設定されている間は、使用者による入力スイッチ１０１の操作を受け付ける必要もなくなるため、制御装置１０４は、入力スイッチ１０１を介した操作を受け付けないようにロックする。なお、この場合も、使用者の意思でカメラ１００の電源のオン・オフは切り替えられるようにするために、電源ボタンのみ操作を受け付けるようにする。
【００２９】
ＰＣ２００の制御装置２０２は、カメラ１００との接続を検出した場合には、カメラ１００から受信した情報に基づいて、カメラ１００の操作モードを判定する。そして、カメラ１００の操作モードがＰＣ連携モードであると判定した場合には、図２に示すＰＣ２００側からカメラ１００のプロジェクタ機能をリモート操作するための操作画面をモニタ２０５に表示する。
【００３０】
この図２に示す操作画面上には、カメラ１００のメモリカードに記録されている画像データのサムネイル一覧２ａと、カメラ１００からの投影のオン、オフを切り替えるためのオン・オフスイッチ２ｂと、投影中の画像をスクロールするためのスクロールスイッチ２ｃと、投影中の画像を拡大または縮小するための倍率変更スイッチ２ｄとが配置されている。制御装置２０２は、カメラ１００の操作モードがＰＣ連携モードであると判定した場合には、カメラ１００との接続が開始された時点で、カメラ１００のメモリカード内に記録されている画像データ（画像ファイル）内からサムネイル画像のデータを読み込んで、操作画面上のサムネイル一覧２ａ内に一覧表示する。
【００３１】
使用者は、入力装置２０１を操作して、サムネイル一覧２ａ内に表示されているサムネイル画像内から、カメラ１００を用いて投影したい画像を選択し、オン・オフスイッチ２ｂを押下することによって、カメラ１００を用いた画像の投影を指示することができる。制御装置２０２は、使用者によって当該指示が行われると、使用者によって選択された画像を特定するための情報、例えば画像ファイルのファイル名の情報と、投影開始を指示するための信号（投影指示信号）とをカメラ１００に送信する。
【００３２】
カメラ１００では、制御装置１０４は、ＰＣ１００から投影指示信号を受信すると、ＰＣ１００から受信したファイル名の情報に基づいて投影対象の画像ファイルを特定してメモリカードから読み込み、当該画像ファイルに格納されている画像データをプロジェクタユニット１０７を用いて投影面に投影する。
【００３３】
カメラ１００を使用して画像を投影している間、使用者は、サムネイル一覧２ａ内で他のサムネイル画像を再選択することにより、投影する画像を切り替えるように指示することができる。制御装置２０２は、使用者によって画像の再選択が行われると、投影する画像の切り替えを指示するための画像切り替え指示信号と共に、再選択された画像のファイル名をカメラ１００に送信する。カメラ１００では、制御装置１０４は、ＰＣ１００から受信したファイル名の情報に基づいて投影対象の画像ファイルを特定してメモリカードから読み込み、当該画像ファイルに格納されている画像データをプロジェクタユニット１０７を用いて投影面に投影する。
【００３４】
また、使用者は、操作画面上に表示されているスクロールスイッチ２ｃを操作することにより、投影中の画像をスクロールするように指示することができる。具体的には、使用者は、スクロールスイッチ２ｃの上ボタンを入力装置２０１を用いて押下することにより、画像を上方向にスクロールするように指示することができ、下ボタンを押下することにより、画像を下方向にスクロールするように指示することができる。同様に、使用者は、スクロールスイッチ２ｃの右ボタンを押下することにより、画像を右方向にスクロールするように指示することができ、左ボタンを押下することにより、画像を左方向にスクロールするように指示することができる。
【００３５】
さらに、使用者は、操作画面上に表示されている倍率変更スイッチ２ｄを操作することにより、投影中の画像を拡大または縮小するように指示することができる。具体的には、使用者は、倍率変更スイッチ２ｄのつまみを入力装置２０１を用いて右方向に移動させることによって、画像を拡大するように指示することができ、左方向に移動させることによって、画像を縮小するように指示することができる。
【００３６】
制御装置２０２は、使用者によるスクロールスイッチ２ｃや倍率変更スイッチ２ｄの操作に基づく操作信号をカメラ１００へ送信する。カメラ１００では、制御装置１０４は、ＰＣ２００から受信した操作信号に基づいて、投影中の画像をスクロールしたり、拡大・縮小したりする。以上の処理により、使用者は、ＰＣ２００の操作画面上で、カメラ１００のプロジェクタ機能のリモート操作を行うことが可能となる。
【００３７】
なお、本実施の形態では、ＰＣ２００は、プロジェクタ装置３００に画像を出力して投影面に投影することもできる。例えば、使用者は、プレゼンテーション用のアプリケーション画面（プレゼン画面）をプロジェクタ装置３００を使用して投影し、カメラ１００で撮影した画像をカメラ１００のプロジェクタユニット１０７を使用して投影するなど、両プロジェクタを使い分けることが考えられる。この場合、制御装置２０２は、プロジェクタ装置３００を使用してプレゼン画面を投影しているときに、カメラ１００が接続されて画像の投影が指示された場合には、プロジェクタ装置３００による投影輝度を低下させるようにして、カメラ１００からの投影を優先するようにする。
【００３８】
また、使用者は、カメラ１００とプロジェクタ装置３００の両方を用いて投影を行っている間は、モニタ２０５上で、いずれのプロジェクタの輝度を高くするかを指示することができる。例えば、カメラ１００とプロジェクタ装置３００の両方を用いて投影を行っている間は、図３に示すように、モニタ２０５上にプレゼン画面を表示するためのウィンドウ３ａと、図２に示した操作画面を表示するためのウィンドウ３ｂとが表示されている。
【００３９】
使用者は、入力装置２０１を操作して、モニタ上で優先して投影したいウィンドウを選択する。制御装置２０２は、使用者によるウィンドウの選択状況に応じて、カメラ１００およびプロジェクタ装置３００へ輝度を変更するための輝度変更指示信号を送信する。例えば、使用者によってウィンドウ３ａが選択された場合には、カメラ１００に対して輝度を下げるように指示するための輝度変更指示信号を送信し、ウィンドウ３ｂが選択された場合には、プロジェクタ装置３００に対して輝度を下げるように指示するための輝度変更指示信号を送信する。このとき、制御装置１０４は、使用者によって選択されたウィンドウに対応する装置に対して、既に輝度を下げるように指示していた場合には、その装置に対して、輝度を元に戻すように指示するための輝度変更指示信号を送信する。
【００４０】
輝度変更指示信号を受信したカメラ１００やプロジェクタ装置３００では、ＰＣ２００から受信した輝度変更指示信号による指示内容に基づいて、投影時の輝度を変更する。これによって、使用者は、投影を優先したい装置を自由に選択することができる。
【００４１】
カメラ１００の制御装置１０４は、ＰＣ２００が休止状態（スタンバイ状態）に移行したとき、またはＰＣ２００がシャットダウンされたことを検出した場合には、カメラ１００のモードを自動的に通常のモード（カメラ１００の通常使用時の操作モード）に戻す。また、制御装置１０４は、カメラ１００とＰＣ２００とを無線接続している場合に、一定時間以上、無線通信によるデータの送受信がない場合には、自動的に通信を切断して、カメラ１００のモードを自動的に通常のモードに戻すようにしてもよい。
【００４２】
また、図２に示した操作画面上にカメラ１００とパソコン２００との通信の切断を指示するためのボタンを用意しておき、パソコン２００の制御装置２０２は、使用者によって当該ボタンが操作された場合に、カメラに対して接続を解除する信号を送信するようにしてもよい。この場合、カメラ１００の制御装置１０４は、当該信号を受信したときに、カメラ１００のモードを自動的に通常のモードに戻せばよい。
【００４３】
図４は、本実施の形態におけるカメラ１００の処理を示すフローチャートである。図４に示す処理は、カメラ１００の電源がオンされると起動するプログラムとして、制御装置１０４によって実行される。
【００４４】
ステップＳ１０において、制御装置１０４は、接続ＩＦ１０８を介して、ＰＣ２００と有線接続されたか否かを判断する。肯定判断した場合には、ステップＳ２０へ進む、制御装置１０４は、プロジェクタユニット１０７が画像を投影中であるか否かを判断する。肯定判断した場合には、ステップＳ７０へ進み、制御装置１０４は、自動的にカメラ１００のモードをＰＣ連携モードに設定する。
【００４５】
これに対して、ステップＳ２０で否定判断した場合には、ステップＳ５０へ進み、制御装置１０４は、モニタ１０６上に「ＰＣ連携モードに切り替えますか？」の確認メッセージと共に「はい」と「いいえ」の選択項目を表示した確認画面を表示する。その後、ステップＳ６０へ進み、制御装置１０４は、使用者によって確認画面上で「はい」が選択されたか否かを判断する。肯定判断した場合には、ステップＳ７０へ進み、制御装置１０４は、カメラ１００のモードをＰＣ連携モードに設定する。一方、ステップＳ６０で否定判断した場合には、後述するステップＳ２２０へ進む。
【００４６】
また、ステップＳ１０で否定判断した場合には、ステップＳ３０へ進み、制御装置１０４は、使用者によってカメラ１００のメニュー画面上でＰＣ連携モードへの切り替えが指示されたか否かを判断する。肯定判断した場合には、ステップＳ４０へ進み、制御装置１０４は、カメラ１００のモードをＰＣ連携モードに切り替えると共に、カメラ１００とＰＣ２００とを自動的に無線接続する。これに対して、ステップＳ３０で否定判断した場合には、後述するステップＳ２２０へ進む。
【００４７】
なお、制御装置１０４は、ステップＳ７０でカメラ１００のモードをＰＣ連携モードに設定した際には、上述したように、モニタ１０６を消去し、入力スイッチ１０１の操作（電源ボタンの操作は除く）をロックする。ステップＳ７０でカメラ１００のモードをＰＣ連携モードに設定した後には、ステップＳ８０へ進む。ステップＳ８０では、制御装置１０４は、ＰＣ２００から投影指示信号を受信したか否かを判断する。
【００４８】
肯定判断した場合には、ステップＳ９０へ進み、制御装置１０４は、ＰＣ１００から受信したファイル名の情報に基づいて投影対象の画像ファイルを特定してメモリカードから読み込み、当該画像ファイルに格納されている画像データをプロジェクタユニット１０７を用いて投影面に投影する。その後、ステップＳ１００へ進む。これに対して、ステップＳ８０で否定判断した場合には、そのままステップＳ１００へ進む。
【００４９】
ステップＳ１００では、制御装置１０４は、ＰＣ２００から画像の切り替えを指示する画像切り替え指示信号を受信したか否かを判断する。肯定判断した場合には、ステップＳ１１０へ進み、制御装置１０４は、ＰＣ１００から受信したファイル名の情報に基づいて投影対象の画像ファイルを特定してメモリカードから読み込む。そして、当該画像ファイルに格納されている画像データをプロジェクタユニット１０７を用いて投影面に投影することによって、投影中の画像を切り替え、ステップＳ１２０へ進む。これに対して、ステップＳ１００で否定判断した場合には、そのままステップＳ１２０へ進む。
【００５０】
ステップＳ１２０では、制御装置１０４は、ＰＣ２００から画像のスクロールを指示するスクロール指示信号を受信したか否かを判断する。肯定判断した場合には、ステップＳ１３０へ進み、制御装置１０４は、ＰＣ１００から受信した信号に基づいて、投影中の画像をスクロールし、ステップＳ１４０へ進む。これに対して、ステップＳ１２０で否定判断した場合には、そのままステップＳ１４０へ進む。
【００５１】
ステップＳ１４０では、制御装置１０４は、ＰＣ２００から画像の拡大を指示する拡大指示信号、または縮小を指示する縮小指示信号を受信したか否かを判断する。肯定判断した場合には、ステップＳ１５０へ進み、制御装置１０４は、ＰＣ１００から受信した信号に基づいて、投影中の画像を拡大または縮小して、ステップＳ１６０へ進む。これに対して、ステップＳ１４０で否定判断した場合には、そのままステップＳ１６０へ進む。
【００５２】
ステップＳ１６０では、制御装置１０４は、ＰＣ２００から投影輝度の変更を指示する輝度変更指示信号を受信したか否かを判断する。肯定判断した場合には、ステップＳ１７０へ進み、制御装置１０４は、ＰＣ１００から受信した信号に基づいて、投影輝度を変更して、ステップＳ１８０へ進む。これに対して、ステップＳ１６０で否定判断した場合には、そのままステップＳ１８０へ進む。
【００５３】
ステップＳ１８０では、制御装置１０４は、ＰＣ２００から投影の終了を指示する投影終了指示信号を受信したか否かを判断する。肯定判断した場合には、ステップＳ１９０へ進み、制御装置１０４は、プロジェクタユニット１０７を介した画像の投影を終了して、ステップＳ２００へ進む。これに対して、ステップＳ１８０で否定判断した場合には、そのままステップＳ２００へ進む。
【００５４】
ステップＳ２００では、制御装置１０４は、ＰＣ２００から有線または無線による通信の切断を指示する切断指示信号を受信したか否かを判断する。肯定判断した場合には、ステップＳ２１０へ進み、制御装置１０４は、接続ＩＦ１０８を介したＰＣ２００との接続を切断して、ステップＳ２２０へ進む。これに対して、ステップＳ２００で否定判断した場合には、そのままステップＳ２２０へ進む。
【００５５】
ステップＳ２２０では、制御装置１０４は、使用者によって電源ボタンが操作されることにより、カメラ１００の電源がオフされたか否かを判断する。否定判断した場合には、ステップＳ１０へ戻って処理を繰り返す。これに対して、肯定判断した場合には、処理を終了する。
【００５６】
図５は、本実施の形態におけるＰＣ２００の処理を示すフローチャートである。図５に示す処理は、カメラ接続ＩＦ２０３を介してカメラ１００が接続されると起動するプログラムとして、制御装置２０２によって実行される。
【００５７】
ステップＳ３００において、制御装置２０２は、図２に示した操作画面をモニタ２０５に表示して、ステップＳ３１０へ進む。ステップＳ３１０では、操作画面上で使用者によってオン・オフスイッチ２ｂが操作されたことにより、カメラ１００のプロジェクタユニット１０７を用いた画像の投影開始が指示されたか否かを判断する。肯定判断した場合には、ステップＳ３２０へ進み、制御装置２０２は、ＰＣ１００に対して、上述した投影指示信号を送信して、ステップＳ３３０へ進む。
【００５８】
ステップＳ３３０では、制御装置２０２は、操作画面上で使用者によってサムネイル画像が再選択されることにより、投影対象の画像の切り替えが指示されたか否かを判断する。肯定判断した場合には、ステップＳ３４０へ進み、制御装置２０２は、ＰＣ１００に対して、上述した画像切り替え指示信号を送信して、ステップＳ３５０へ進む。これに対して、ステップＳ３３０で否定判断した場合には、そのままステップＳ３５０へ進む。
【００５９】
ステップＳ３５０では、制御装置２０２は、操作画面上で使用者によってスクロールスイッチ２ｃが操作されることにより、投影中の画像のスクロールが指示されたか否かを判断する。肯定判断した場合には、ステップＳ３６０へ進み、制御措置２０２は、ＰＣ１００に対して、上述したスクロール指示信号を送信して、ステップＳ３７０へ進む。これに対して、ステップＳ３５０で否定判断した場合には、そのままステップＳ３７０へ進む。
【００６０】
ステップＳ３７０では、制御装置２０２は、操作画面上で使用者によって倍率変更スイッチ２ｄが操作されることにより、投影中の画像の拡大または縮小が指示されたか否かを判断する。肯定判断した場合には、ステップＳ３８０へ進み、制御措置２０２は、ＰＣ１００に対して、使用者による倍率変更スイッチ２ｄの操作内容に応じた指示信号、すなわち上述した拡大指示信号、または縮小指示信号を送信して、ステップＳ３９０へ進む。これに対して、ステップＳ３７０で否定判断した場合には、そのままステップＳ３９０へ進む。
【００６１】
ステップＳ３９０では、制御装置２０２は、図３で上述したように、モニタ２０５に表示されたいずれかのウィンドウが選択されることにより、カメラ１００の投影輝度またはプロジェクタ装置３００の投影輝度の変更が指示されたか否かを判断する。肯定判断した場合には、ステップＳ４００へ進み、制御措置２０２は、使用者によるウィンドウの選択状況に応じて、カメラ１００およびプロジェクタ装置３００へ輝度を変更するための輝度変更指示信号を送信して、ステップＳ４１０へ進む。これに対して、ステップＳ３９０で否定判断した場合には、そのままステップＳ４１０へ進む。
【００６２】
ステップＳ４１０では、制御装置２０２は、操作画面上で使用者によってオン・オフスイッチ２ｂが操作されたことにより、カメラ１００のプロジェクタユニット１０７を用いた画像の投影の終了が指示されたか否かを判断する。肯定判断した場合には、ステップＳ４２０へ進み、制御装置２０２は、ＰＣ１００に対して、上述した投影終了指示信号を送信して、ステップＳ４３０へ進む。これに対して、ステップＳ４１０で否定判断した場合には、そのままステップＳ４３０へ進む。
【００６３】
ステップＳ４３０では、制御装置２０２は、ＰＣ２００の休止状態への移行指示、またはシャットダウン指示がされたことにより、カメラ１００との通信の切断が指示されたか否かを判断する。肯定判断した場合には、ステップＳ４４０へ進み、制御装置２０２は、ＰＣ１００に対して、上述した切断指示信号を送信して、処理を終了する。これに対して、ステップＳ４３０で否定判断した場合には、ステップＳ３３０へ戻る。
【００６４】
以上説明した本実施の形態によれば、以下のような作用効果を得ることができる。
（１）カメラ１００の制御装置１０４は、ＰＣ２００との接続開始を検出したときに、プロジェクタユニット１０７が画像を投影中であることを検出した場合には、カメラの操作モードをＰＣ２００からのプロジェクタ機能の操作を受け付けるためのＰＣ連携モードに設定するようにした。これによって、カメラ１００とＰＣ２００との接続開始時に、カメラ１００が画像を投影している場合には、カメラ１００の操作モードを自動的にＰＣ連携モードに設定することができ、使用者は、ＰＣ２００側からカメラ１００のプロジェクタ機能に関する操作をすることが可能になる。
【００６５】
（２）制御装置１０４は、ＰＣ２００との接続開始時に、プロジェクタユニット１０７が画像を投影していないと判断した場合には、カメラの操作モードをＰＣ連携モードに設定するか否かを使用者に問い合わせ、使用者によってＰＣ連携モードに設定するように指示された場合には、カメラ１００の操作モードをＰＣ連携モードに切り替えるようにした。一方、使用者によってＰＣ連携モードに設定しないように指示された場合には、カメラ１００の操作モードをデータ転送モードに切り替えるようにした。これによって、カメラ１００が画像を投影していないときは、使用者は、好みの操作モードを選択することができる。
【００６６】
（３）制御装置１０４は、カメラ１００の操作モードがＰＣ連携モードに設定されている間は、ＰＣ２００から送信される指示信号に基づいてプロジェクタユニット１０７を動作させるようにした。これによって、ＰＣ連携モードの間は、使用者によるＰＣ２００上での操作に基づいて、画像を投影することができる。
【００６７】
（４）制御装置１０４は、カメラ１００のモードがＰＣ連携モードに設定されている間は、使用者による入力スイッチ１０１の操作を禁止するようにした。これによって、カメラ１００のモードがＰＣ連携モードに設定されている間は、使用者は、ＰＣ２００側からカメラ１００をリモート操作するため、入力スイッチ１０１の操作を無効にして誤操作を防止することができる。
【００６８】
（５）制御装置１０４は、カメラ１００のモードがＰＣ連携モードに設定されている間は、モニタ１０６の表示を停止するようにした。これによって、カメラ１００のモードがＰＣ連携モードに設定されている間は、使用者は、ＰＣ２００側からカメラ１００をリモート操作するため、モニタ１０６の表示を継続する必要がないことを加味して、カメラ１００のバッテリーの消費を抑えることができる。
【００６９】
（６）ＰＣ２００の制御装置２０２は、カメラ１００のプロジェクタ昨日の操作を受け付けるための操作画面をモニタ２０５に表示し、操作画面上での使用者による操作に応じた指示信号をカメラ１００に対して送信するようにした。これによって、使用者は、ＰＣ２００の画面上で操作を行うだけで、カメラ１００による画像の投影に関する操作を行うことができる。
【００７０】
（７）ＰＣ２００の制御装置２０２は、使用者による指示に基づいて、カメラ１００からの投影輝度と、プロジェクタ装置３００からの投影輝度のいずれを高くするかを決定するようにした。これによって、使用者は、状況に応じてカメラ１００からの投影輝度を高くしたり、プロジェクタ装置３００からの投影輝度を高くしたりすることができる。
【００７１】
―変形例―
なお、上述した実施の形態の投影システムは、以下のように変形することもできる。
（１）上述した実施の形態では、ＰＣ２００の制御装置２０２は、プロジェクタ装置３００にプレゼン画面などの画像を出力して投影面に投影する例について説明した。しかしながら、制御装置２０２は、カメラ１００で投影中の画像をプロジェクタ装置３００へ出力して投影できるようにしてもよい。また、カメラ１００で撮影したスルー画を取得し、これをプロジェクタ装置３００へ出力することで、カメラ１００で撮影したスルー画をプロジェクタ装置３００で投影できるようにしてもよい。
【００７２】
（２）上述した実施の形態では、ＰＣ２００の制御装置２０２は、プロジェクタ装置３００にプレゼン画面などの画像を出力して投影面に投影する例について説明した。しかしながら、制御装置２０２は、カメラ１００にプレゼン画面などの画像を出力することで、カメラ１００を使用してプレゼン画面を投影するようにしてもよい。
【００７３】
（３）また、制御装置２０２は、カメラ１００からバッテリーの残容量に関する情報を取得し、カメラ１００のバッテリー容量が低下したことを検出した場合には、ＰＣ２００のモニタ２０５上にカメラ１００の電池切れ警告を出すようにしてもよい。
【００７４】
なお、本発明の特徴的な機能を損なわない限り、本発明は、上述した実施の形態における構成に何ら限定されない。
【図面の簡単な説明】
【００７５】
【図１】投影システムの一実施の形態の構成を示すブロック図である。
【図２】ＰＣ２００側からカメラ１００のプロジェクタ機能をリモート操作するための操作画面の具体例を示す図である。
【図３】モニタ２０５上にプレゼン画面のウィンドウと操作画面のウィンドウとを表示した場合の具体例を示す図である。
【図４】カメラ１００の処理を示すフローチャート図である。
【図５】ＰＣ２００の処理を示すフローチャート図である。
【符号の説明】
【００７６】
１０  投影システム、１００  カメラ、１０１  入力スイッチ、１０２  レンズ、１０３  撮像素子、１０４  制御装置、１０５  メモリカードスロット、１０６  モニタ、１０７  プロジェクタユニット、１０８  接続ＩＦ、２００  パーソナルコンピュータ、２０１  入力装置、２０２  制御装置、２０３  カメラ接続ＩＦ、２０４  ＨＤＤ、２０５  モニタ、２０６  プロジェクタ接続ＩＦ、３００  プロジェクタ装置
【図１】
0004968025.tif 000002
【図２】
0004968025.tif 000003
【図３】
0004968025.tif 000004
【図４】
0004968025.tif 000005
【図５】
0004968025.tif 000006